(57)【要約】【課題】ユーザに、視認性のある、わかりやすい画面を提示することができるようにする。【解決手段】制御部２１は、画像データを入力し、LCD２９は、入力された画像データを表示する。制御部２１は、入力された画像データを、装着された記録媒体に記録させ、記録媒体に関する物理層の種別を識別し、記録媒体に関するアプリケーション層の種別を識別する。制御部２１は、識別された物理層の種別および識別されたアプリケーション層の種別を有する記録媒体に関する詳細情報を取得し、出力制御部２８は、識別された記録媒体の物理層の種別を示す情報、および識別された記録媒体のアプリケーション層の種別を示す情報から構成される識別情報をLCD２９に表示させる。出力制御部２８は、さらに取得された詳細情報の表示を制御する。本発明は、例えば、カメラ一体型レコーダに適用することができる。【選択図】図２
2007220287.tif 000002
【特許請求の範囲】
【請求項１】
画像データを入力する画像データ入力手段と、
入力された前記画像データを表示する表示手段と、
入力された前記画像データを、装着された記録媒体に記録させる記録制御手段と、
前記記録媒体に関する物理層の種別を識別する第１の識別手段と、
前記記録媒体に関するアプリケーション層の種別を識別する第２の識別手段と、
前記第１の識別手段により識別された前記物理層の種別および前記第２の識別手段により識別された前記アプリケーション層の種別を有する記録媒体に関する詳細情報を取得する取得手段と、
前記第１の識別手段により識別された前記記録媒体の前記物理層の種別を示す情報、および前記第２の識別手段により識別された前記記録媒体の前記アプリケーション層の種別を示す情報から構成される識別情報を前記表示手段に表示させる表示制御手段と
を備え、
前記表示制御手段は、さらに、前記取得手段により取得された前記詳細情報の表示を制御し、
前記詳細情報は、前記識別情報が示す前記記録媒体の前記物理層の種別および前記アプリケーション層の種別に応じた、前記記録媒体が対応する記録処理または再生処理に関する情報であって、少なくとも、前記記録媒体の記録可能回数に関する情報、前記記録媒体の編集作業の可否に関する情報、前記記録媒体の他の装置における再生の可否に関する情報のいずれかを含む
ことを特徴とする画像記録装置。
【請求項２】
前記記録媒体が装着されたとき、前記表示制御手段は、前記第１の識別手段および前記第２の識別手段による識別結果に応じた前記識別情報の表示を制御する
ことを特徴とする請求項１に記載の画像記録装置。
【請求項３】
前記識別情報を選択する選択手段をさらに備え、
前記表示制御手段は、前記選択手段により前記識別情報が選択された場合に、前記識別情報に対応する前記詳細情報の表示を制御する
ことを特徴とする請求項１に記載の画像記録装置。
【請求項４】
前記表示制御手段は、前記識別情報に対して前記詳細情報を関連付けて、前記識別情報およびこれに対応する前記詳細情報の表示を制御する
ことを特徴とする請求項１に記載の画像記録装置。
【請求項５】
前記識別情報は、アイコンである
ことを特徴とする請求項１に記載の画像記録装置。
【請求項６】
前記識別情報は、前記記録媒体の前記物理層の種別を示す名称からなる領域および前記記録媒体の前記アプリケーション層の種別を示す名称からなる領域により構成される
ことを特徴とする請求項１に記載の画像記録装置。
【請求項７】
前記表示制御手段は、前記画像データの画像に対して、前記識別情報とともに、録画中であることを示す情報を重畳して表示するように制御する
ことを特徴とする請求項１に記載の画像記録装置。
【請求項８】
入力された画像データを、装着された記録媒体に記録させる記録制御ステップと、
前記記録媒体に関する物理層の種別を識別する第１の識別ステップと、
前記記録媒体に関するアプリケーション層の種別を識別する第２の識別ステップと、
前記第１の識別ステップの処理により識別された前記物理層の種別および前記第２の識別ステップの処理により識別された前記アプリケーション層の種別を有する記録媒体に関する詳細情報を取得する取得ステップと、
前記第１の識別ステップにおいて識別された前記記録媒体の前記物理層の種別を示す情報、および前記第２の識別ステップにおいて識別された前記記録媒体の前記アプリケーション層の種別を示す情報から構成される識別情報の表示を制御する表示制御ステップと
を含み、
前記表示制御ステップでは、さらに前記取得ステップにおいて取得された前記詳細情報の表示を制御し、
前記詳細情報は、前記記録媒体が対応する記録処理または再生処理に関する情報であって、少なくとも、前記記録媒体の記録可能回数に関する情報、前記記録媒体の編集作業の可否に関する情報、前記記録媒体の他の装置における再生の可否に関する情報のいずれかを含む
ことを特徴とする画像記録方法。
【請求項９】
画像データを入力する入力ステップと、
入力された前記画像データを、装着された記録媒体に記録させる記録制御ステップと、
前記記録媒体に関する物理層の種別を識別する第１の識別ステップと、
前記記録媒体に関するアプリケーション層の種別を識別する第２の識別ステップと、
前記第１の識別ステップの処理により識別された前記物理層の種別および前記第２の識別ステップの処理により識別された前記アプリケーション層の種別を有する記録媒体に関する詳細情報を取得する取得ステップと、
前記第１の識別ステップにおいて識別された前記記録媒体の前記物理層の種別を示す情報、および前記第２の識別ステップにおいて識別された前記記録媒体の前記アプリケーション層の種別を示す情報から構成される識別情報の表示を制御する表示制御ステップとを含み、
前記詳細情報は、前記記録媒体が対応する記録処理または再生処理に関する情報であって、少なくとも、前記記録媒体の記録可能回数に関する情報、前記記録媒体の編集作業の可否に関する情報、前記記録媒体の他の装置における再生の可否に関する情報のいずれかを含み、
前記表示制御ステップでは、前記取得ステップにおいて取得された前記詳細情報の表示も制御する
処理をコンピュータに実行させることを特徴とするプログラムが記録されているプログラム記録媒体。
【請求項１０】
装着された記録媒体に関する物理層の種別を識別する第１の識別ステップと、
前記記録媒体に関するアプリケーション層の種別を識別する第２の識別ステップと、
前記第１の識別ステップの処理により識別された前記物理層の種別および前記第２の識別ステップの処理により識別された前記アプリケーション層の種別を有する記録媒体に関する詳細情報を取得する取得ステップと、
前記第１の識別ステップにおいて識別された前記記録媒体の前記物理層の種別を示す情報、および前記第２の識別ステップにおいて識別された前記記録媒体の前記アプリケーション層の種別を示す情報から構成される識別情報の表示を制御する表示制御ステップとを含み、
前記詳細情報は、前記記録媒体が対応する記録処理または再生処理に関する情報であって、少なくとも、前記記録媒体の記録可能回数に関する情報、前記記録媒体の編集作業の可否に関する情報、前記記録媒体の他の装置における再生の可否に関する情報のいずれかを含み、
前記表示制御ステップでは、前記取得ステップにおいて取得された前記詳細情報の表示も制御する
処理をコンピュータに実行させることを特徴とするプログラム。
【請求項１１】
被写体を撮像して画像データを出力する撮像手段と、
前記撮像手段により撮像された前記画像データを表示する表示手段と、
前記撮像手段により撮像された画像データを、装着された記録媒体に記録させる記録制御手段と、
前記記録媒体の物理層の種別を識別するディスク識別手段と、
前記記録媒体のアプリケーション層におけるフォーマットの種別を識別するフォーマット識別手段と、
前記ディスク識別手段により識別された前記記録媒体の物理層の種別を示す情報、および前記フォーマット識別手段により識別された前記記録媒体のアプリケーション層におけるフォーマットの種別を示す情報から構成される識別情報と、前記識別情報が示す前記記録媒体の物理層の種別および前記記録媒体のアプリケーション層のフォーマットの種別に応じた、前記記録媒体が対応する記録処理または再生処理に関する情報を前記表示手段に表示するように制御する表示制御手段と
を備えることを特徴とする撮像装置。
【発明の詳細な説明】
【技術分野】
【０００１】
本発明は、画像記録装置および方法、プログラム記録媒体、プログラム、並びに撮像装置に関し、特に、ユーザにわかりやすい画面を提示することができるようにした画像記録装置および方法、プログラム記録媒体、プログラム、並びに撮像装置に関する。
【背景技術】
【０００２】
近年、物理層、論理層、およびアプリケーション層などのデータ階層構造を有する、ＤＶＤ(Digital Versatile Disk)、ＨＤＤ(Hard Disk Drive)、またはフラッシュメモリなどの記録メディアを用いて、映像を記録する映像記録装置が増えてきている。この場合、記録メディアは、複数の階層において、１つ以上の要素を規定している。したがって、映像記録装置は、記録メディアの複数の階層において規定されている１つ以上の要素に対応している。
【０００３】
例えば、記録メディアがＤＶＤである場合、映像記録装置は、物理層において規定されている、１回のみ書き込み可能なＤＶＤ−Ｒ(Digital Versatile Disk Recordable)と、追記可能なＤＶＤ−ＲＷ(Digital Versatile Disk Re-recordable)の２つの要素に対応しており、さらに、アプリケーション層において規定されている、編集作業が困難であるＶＦ（Video Format Recording）と、編集作業が行い易いＶＲ(Video Recording Format)の２つの要素に対応している。
【０００４】
ユーザは、この映像記録装置を用いて、ビデオデータをＤＶＤに記録する場合、映像記録装置のドライブにＤＶＤを装着する。映像記録装置は、特許文献１に示される光ディスク装置のように、ドライブに装着されたＤＶＤが、例えば、再生専用のＤＶＤ−ＲＯＭ(Digital Versatile Disk Read Only)、であるか、または、１回のみ書き込み可能なＤＶＤ−Ｒであるかなどの、物理層の要素の識別を行う。さらに、映像記録装置は、同様に、アプリケーション層の要素の識別を行う。これらの識別の結果、映像記録装置は、図１に示されるような表示画面１をモニタに表示させる。
【０００５】
図１においては、表示画面１の上部の左から順に、装着されたＤＶＤが物理層において、追記可能なＤＶＤ−ＲＷ(Digital Versatile Disk Re-recordable)に対応していることを示す「−ＲＷ」が表示されており、装着されたＤＶＤがアプリケーション層において、編集作業が困難であるＶＦに対応していることを示す「ＶＦ」が表示されている。また、現在録画中であることを示す「録画」の文字が表示されており、録画経過時間が２２分３３秒であることを示す「０：２２：３３」が表示されている。
【０００６】
このように、表示画面１においては、各階層において規定されている要素が、階層ごとに表示される。したがって、ユーザは、表示画面１の「−ＲＷ」を見ることにより、装着したＤＶＤが、物理層において追記可能であることを認識し、表示画面１の「ＶＦ」を見ることにより、装着したＤＶＤが、アプリケーション層において編集作業が困難であることを認識することができる。
【０００７】
【特許文献１】特開平１０−１９９０１７号公報（第１１−１２ページ）
【発明の開示】
【発明が解決しようとする課題】
【０００８】
しかしながら、一般的に、ユーザは、装着されたＤＶＤが対応する機能を知るために、表示画面１を見る。したがって、ＤＶＤが対応する機能が、物理層またはアプリケーション層のいずれにおいて規定されているかという情報は、ユーザにとって、必要な情報ではない。例えば、表示画面１の「−ＲＷ」だけを見て、装着したＤＶＤが追記可能であると思ったユーザが、ＤＶＤの編集作業をしようと思った場合、実際には、表示画面１に「ＶＦ」が表示されており、装着したＤＶＤの編集作業が困難であることも考えられる。このように、階層別に表示された表示画面１は、ユーザにとって、装着されたＤＶＤが対応する機能が、わかり難い課題があった。
【０００９】
さらに、上述したように、各階層において規定されている要素を階層ごとに表示した場合、映像記録装置は、階層が増えれば増えるほど、表示するエリアを必要とする。したがって、例えば、映像記録装置が、表示エリアが限定されている携帯電話機などであった場合、映像記録装置においては、多数の階層それぞれごとの要素を表示するのが困難である課題があった。
【００１０】
本発明は、このような状況に鑑みてなされたものであり、ユーザに、視認性のある、わかりやすい画面を提示することができるようにするものである。
【課題を解決するための手段】
【００１１】
本発明の第１の側面の画像記録装置は、画像データを入力する画像データ入力手段と、入力された前記画像データを表示する表示手段と、入力された前記画像データを、装着された記録媒体に記録させる記録制御手段と、前記記録媒体に関する物理層の種別を識別する第１の識別手段と、前記記録媒体に関するアプリケーション層の種別を識別する第２の識別手段と、前記第１の識別手段により識別された前記物理層の種別および前記第２の識別手段により識別された前記アプリケーション層の種別を有する記録媒体に関する詳細情報を取得する取得手段と、前記第１の識別手段により識別された前記記録媒体の前記物理層の種別を示す情報、および前記第２の識別手段により識別された前記記録媒体の前記アプリケーション層の種別を示す情報から構成される識別情報を前記表示手段に表示させる表示制御手段とを備え、前記表示制御手段は、さらに、前記取得手段により取得された前記詳細情報の表示を制御し、前記詳細情報は、前記識別情報が示す前記記録媒体の前記物理層の種別および前記アプリケーション層の種別に応じた、前記記録媒体が対応する記録処理または再生処理に関する情報であって、少なくとも、前記記録媒体の記録可能回数に関する情報、前記記録媒体の編集作業の可否に関する情報、前記記録媒体の他の装置における再生の可否に関する情報のいずれかを含むことを特徴とする。
【００１２】
前記記録媒体が装着されたとき、前記表示制御手段は、前記第１の識別手段および前記第２の識別手段による識別結果に応じた前記識別情報の表示を制御するようにすることができる。
【００１３】
前記識別情報を選択する選択手段をさらに備え、前記表示制御手段は、前記選択手段により前記識別情報が選択された場合に、前記識別情報に対応する前記詳細情報の表示を制御するようにすることができる。
【００１４】
前記表示制御手段は、前記識別情報に対して前記詳細情報を関連付けて、前記識別情報およびこれに対応する前記詳細情報の表示を制御するようにすることができる。
【００１５】
前記識別情報は、アイコンであるようにすることができる。
【００１６】
前記識別情報は、前記記録媒体の前記物理層の種別を示す名称からなる領域および前記記録媒体の前記アプリケーション層の種別を示す名称からなる領域により構成されるようにすることができる。
【００１７】
前記表示制御手段は、前記画像データの画像に対して、前記識別情報とともに、録画中であることを示す情報を重畳して表示するように制御するようにすることができる。
【００１８】
本発明の第１の側面の画像記録方法は、入力された画像データを、装着された記録媒体に記録させる記録制御ステップと、前記記録媒体に関する物理層の種別を識別する第１の識別ステップと、前記記録媒体に関するアプリケーション層の種別を識別する第２の識別ステップと、前記第１の識別ステップの処理により識別された前記物理層の種別および前記第２の識別ステップの処理により識別された前記アプリケーション層の種別を有する記録媒体に関する詳細情報を取得する取得ステップと、前記第１の識別ステップにおいて識別された前記記録媒体の前記物理層の種別を示す情報、および前記第２の識別ステップにおいて識別された前記記録媒体の前記アプリケーション層の種別を示す情報から構成される識別情報の表示を制御する表示制御ステップとを含み、前記表示制御ステップでは、さらに前記取得ステップにおいて取得された前記詳細情報の表示を制御し、前記詳細情報は、前記記録媒体が対応する記録処理または再生処理に関する情報であって、少なくとも、前記記録媒体の記録可能回数に関する情報、前記記録媒体の編集作業の可否に関する情報、前記記録媒体の他の装置における再生の可否に関する情報のいずれかを含むことを特徴とする。
【００１９】
本発明の第１の側面のプログラム記録媒体に記録されているプログラムは、画像データを入力する入力ステップと、入力された前記画像データを、装着された記録媒体に記録させる記録制御ステップと、前記記録媒体に関する物理層の種別を識別する第１の識別ステップと、前記記録媒体に関するアプリケーション層の種別を識別する第２の識別ステップと、前記第１の識別ステップの処理により識別された前記物理層の種別および前記第２の識別ステップの処理により識別された前記アプリケーション層の種別を有する記録媒体に関する詳細情報を取得する取得ステップと、前記第１の識別ステップにおいて識別された前記記録媒体の前記物理層の種別を示す情報、および前記第２の識別ステップにおいて識別された前記記録媒体の前記アプリケーション層の種別を示す情報から構成される識別情報の表示を制御する表示制御ステップとを含み、前記詳細情報は、前記記録媒体が対応する記録処理または再生処理に関する情報であって、少なくとも、前記記録媒体の記録可能回数に関する情報、前記記録媒体の編集作業の可否に関する情報、前記記録媒体の他の装置における再生の可否に関する情報のいずれかを含み、前記表示制御ステップでは、前記取得ステップにおいて取得された前記詳細情報の表示も制御する処理をコンピュータに実行させることを特徴とする。
【００２０】
本発明の第１の側面のプログラムは、装着された記録媒体に関する物理層の種別を識別する第１の識別ステップと、前記記録媒体に関するアプリケーション層の種別を識別する第２の識別ステップと、前記第１の識別ステップの処理により識別された前記物理層の種別および前記第２の識別ステップの処理により識別された前記アプリケーション層の種別を有する記録媒体に関する詳細情報を取得する取得ステップと、前記第１の識別ステップにおいて識別された前記記録媒体の前記物理層の種別を示す情報、および前記第２の識別ステップにおいて識別された前記記録媒体の前記アプリケーション層の種別を示す情報から構成される識別情報の表示を制御する表示制御ステップとを含み、前記詳細情報は、前記記録媒体が対応する記録処理または再生処理に関する情報であって、少なくとも、前記記録媒体の記録可能回数に関する情報、前記記録媒体の編集作業の可否に関する情報、前記記録媒体の他の装置における再生の可否に関する情報のいずれかを含み、前記表示制御ステップでは、前記取得ステップにおいて取得された前記詳細情報の表示も制御する処理をコンピュータに実行させることを特徴とする。
【００２１】
本発明の第２の側面の撮像装置は、被写体を撮像して画像データを出力する撮像手段と、前記撮像手段により撮像された前記画像データを表示する表示手段と、前記撮像手段により撮像された画像データを、装着された記録媒体に記録させる記録制御手段と、前記記録媒体の物理層の種別を識別するディスク識別手段と、前記記録媒体のアプリケーション層におけるフォーマットの種別を識別するフォーマット識別手段と、前記ディスク識別手段により識別された前記記録媒体の物理層の種別を示す情報、および前記フォーマット識別手段により識別された前記記録媒体のアプリケーション層におけるフォーマットの種別を示す情報から構成される識別情報と、前記識別情報が示す前記記録媒体の物理層の種別および前記光ディスクのアプリケーション層のフォーマットの種別に応じた、前記記録媒体が対応する記録処理または再生処理に関する情報を前記表示手段に表示するように制御する表示制御手段とを備えることを特徴とする。
【００２２】
本発明の第１の側面においては、画像データが入力され、入力された前記画像データが表示され、入力された前記画像データが、装着された記録媒体に記録され、前記記録媒体に関する物理層の種別が識別され、前記記録媒体に関するアプリケーション層の種別が識別され、識別された前記物理層の種別および識別された前記アプリケーション層の種別を有する記録媒体に関する詳細情報が取得され、識別された前記記録媒体の前記物理層の種別を示す情報、および識別された前記記録媒体の前記アプリケーション層の種別を示す情報から構成される識別情報が前記表示手段に表示される。前記識別情報の表示制御において、さらに、取得された前記詳細情報の表示が制御される。前記詳細情報には、前記識別情報が示す前記記録媒体の前記物理層の種別および前記アプリケーション層の種別に応じた、前記記録媒体が対応する記録処理または再生処理に関する情報であって、少なくとも、前記記録媒体の記録可能回数に関する情報、前記記録媒体の編集作業の可否に関する情報、前記記録媒体の他の装置における再生の可否に関する情報のいずれかを含まれる。
【００２３】
本発明の第２の側面においては、被写体を撮像して画像データが出力され、撮像された前記画像データが表示され、撮像された画像データが、装着された記録媒体に記録され、前記記録媒体の物理層の種別が識別され、前記記録媒体のアプリケーション層におけるフォーマットの種別が識別され、識別された前記記録媒体の物理層の種別を示す情報、および識別された前記記録媒体のアプリケーション層におけるフォーマットの種別を示す情報から構成される識別情報と、前記識別情報が示す前記記録媒体の物理層の種別および前記記録媒体のアプリケーション層のフォーマットの種別に応じた、前記記録媒体が対応する記録処理または再生処理に関する情報が前記表示手段に表示されるように制御される。
【発明の効果】
【００２４】
本発明によれば、ユーザに、視認性のある、わかりやすい画面を提示することができる。
【発明を実施するための最良の形態】
【００２５】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２６】
本発明の第１の側面の画像記録装置（例えば、図２の撮影装置１１）は、
画像データを入力する画像データ入力手段（例えば、図２の制御部２１）と、
入力された前記画像データを表示する表示手段（例えば、図２のLCD２９）と、
入力された前記画像データを、装着された記録媒体に記録させる記録制御手段（例えば、図２の制御部２１）と、
前記記録媒体に関する物理層の種別を識別する第１の識別手段（例えば、図２の制御部２１）と、
前記記録媒体に関するアプリケーション層の種別を識別する第２の識別手段（例えば、図２の制御部２１）と、
前記第１の識別手段により識別された前記物理層の種別および前記第２の識別手段により識別された前記アプリケーション層の種別を有する記録媒体に関する詳細情報を取得する取得手段（例えば、図２の制御部２１）と、
前記第１の識別手段により識別された前記記録媒体の前記物理層の種別を示す情報、および前記第２の識別手段により識別された前記記録媒体の前記アプリケーション層の種別を示す情報から構成される識別情報を前記表示手段に表示させる表示制御手段（例えば、図２の出力制御部２８）と
を備え、
前記表示制御手段は、さらに、前記取得手段により取得された前記詳細情報の表示を制御し、前記詳細情報は、前記識別情報が示す前記記録媒体の前記物理層の種別および前記アプリケーション層の種別に応じた、前記記録媒体が対応する記録処理または再生処理に関する情報であって、少なくとも、前記記録媒体の記録可能回数に関する情報、前記記録媒体の編集作業の可否に関する情報、前記記録媒体の他の装置における再生の可否に関する情報のいずれかを含むことを特徴とする。
【００２７】
前記識別情報を選択する選択手段（例えば、図２の制御部２１）をさらに備え、
前記表示制御手段は、前記選択手段により前記識別情報が選択された場合に、前記識別情報に対応する前記詳細情報の表示を制御するようにすることができる。
【００２８】
本発明の第１の側面の画像記録方法は、
入力された画像データを、装着された記録媒体に記録させる記録制御ステップ（例えば、図２の制御部２１の処理）と、
前記記録媒体に関する物理層の種別を識別する第１の識別ステップ（例えば、図４のステップＳ３）と、
前記記録媒体に関するアプリケーション層の種別を識別する第２の識別ステップ（例えば、図４のステップＳ４）と、
前記第１の識別ステップの処理により識別された前記物理層の種別および前記第２の識別ステップの処理により識別された前記アプリケーション層の種別を有する記録媒体に関する詳細情報を取得する取得ステップ（例えば、図１１のステップＳ６２）と、
前記第１の識別ステップにおいて識別された前記記録媒体の前記物理層の種別を示す情報、および前記第２の識別ステップにおいて識別された前記記録媒体の前記アプリケーション層の種別を示す情報から構成される識別情報の表示を制御する表示制御ステップ（例えば、図４のステップＳ６及び図１１のステップＳ６４）と
を含み、
前記表示制御ステップでは、さらに前記取得ステップにおいて取得された前記詳細情報の表示を制御し、
前記詳細情報は、前記記録媒体が対応する記録処理または再生処理に関する情報であって、少なくとも、前記記録媒体の記録可能回数に関する情報、前記記録媒体の編集作業の可否に関する情報、前記記録媒体の他の装置における再生の可否に関する情報のいずれかを含むことを特徴とする。
【００２９】
本発明の第１の側面のプログラム記録媒体に記録されているプログラムは、
画像データを入力する入力ステップ（例えば、図２の制御部２１の処理）と、
入力された前記画像データを、装着された記録媒体に記録させる記録制御ステップ（例えば、図２の制御部２１の処理）と、
前記記録媒体に関する物理層の種別を識別する第１の識別ステップ（例えば、図４のステップＳ３）と、
前記記録媒体に関するアプリケーション層の種別を識別する第２の識別ステップ（例えば、図４のステップＳ４）と、
前記第１の識別ステップの処理により識別された前記物理層の種別および前記第２の識別ステップの処理により識別された前記アプリケーション層の種別を有する記録媒体に関する詳細情報を取得する取得ステップ（例えば、図１１のステップＳ６２）と、
前記第１の識別ステップにおいて識別された前記記録媒体の前記物理層の種別を示す情報、および前記第２の識別ステップにおいて識別された前記記録媒体の前記アプリケーション層の種別を示す情報から構成される識別情報の表示を制御する表示制御ステップ（例えば、図４のステップＳ６及び図１１のステップＳ６４）と
を含み、
前記詳細情報は、前記記録媒体が対応する記録処理または再生処理に関する情報であって、少なくとも、前記記録媒体の記録可能回数に関する情報、前記記録媒体の編集作業の可否に関する情報、前記記録媒体の他の装置における再生の可否に関する情報のいずれかを含み、
前記表示制御ステップでは、前記取得ステップにおいて取得された前記詳細情報の表示も制御する
処理をコンピュータに実行させることを特徴とする。
【００３０】
本発明の第１の側面のプログラムは、
装着された記録媒体に関する物理層の種別を識別する第１の識別ステップ（例えば、図４のステップＳ３）と、
前記記録媒体に関するアプリケーション層の種別を識別する第２の識別ステップ（例えば、図４のステップＳ４）と、
前記第１の識別ステップの処理により識別された前記物理層の種別および前記第２の識別ステップの処理により識別された前記アプリケーション層の種別を有する記録媒体に関する詳細情報を取得する取得ステップ（例えば、図１１のステップＳ６２）と、
前記第１の識別ステップにおいて識別された前記記録媒体の前記物理層の種別を示す情報、および前記第２の識別ステップにおいて識別された前記記録媒体の前記アプリケーション層の種別を示す情報から構成される識別情報の表示を制御する表示制御ステップ（例えば、図４のステップＳ６及び図１１のステップＳ６４）と
を含み、
前記詳細情報は、前記記録媒体が対応する記録処理または再生処理に関する情報であって、少なくとも、前記記録媒体の記録可能回数に関する情報、前記記録媒体の編集作業の可否に関する情報、前記記録媒体の他の装置における再生の可否に関する情報のいずれかを含み、
前記表示制御ステップでは、前記取得ステップにおいて取得された前記詳細情報の表示も制御する
処理をコンピュータに実行させることを特徴とする。
【００３１】
本発明の第２の側面の撮像装置は、
被写体を撮像して画像データを出力する撮像手段（例えば、図２のカメラ部２２）と、
前記撮像手段により撮像された前記画像データを表示する表示手段（例えば、図２のLCD２９）と、
前記撮像手段により撮像された画像データを、装着された記録媒体に記録させる記録制御手段（例えば、図２の制御部２１の処理）と、
前記記録媒体の物理層の種別を識別するディスク識別手段（例えば、図２の制御部２１）と、
前記記録媒体のアプリケーション層におけるフォーマットの種別を識別するフォーマット識別手段（例えば、図２の制御部２１）と、
前記ディスク識別手段により識別された前記記録媒体の物理層の種別を示す情報、および前記フォーマット識別手段により識別された前記記録媒体のアプリケーション層におけるフォーマットの種別を示す情報から構成される識別情報と、前記識別情報が示す前記記録媒体の物理層の種別および前記光ディスクのアプリケーション層のフォーマットの種別に応じた、前記記録媒体が対応する記録処理または再生処理に関する情報を前記表示手段に表示するように制御する表示制御手段（例えば、図２の出力制御部２８）と
を備えることを特徴とする。
【００３２】
以下、図を参照して本発明の実施の形態について説明する。
【００３３】
図２は、本発明を適用した撮影装置１１の構成例を表している。撮影装置１１は、例えば、カムコーダ（カメラ一体型ビデオレコーダ）などにより構成される。図２において、制御部２１は、図示せぬメモリを内蔵し、図示せぬネットワークを介して通信部３１より供給され、内蔵するメモリにロードされたプログラム、またはドライブ２４より供給され、内蔵するメモリにロードされたプログラムに従って各種の処理を実行する。さらに、制御部２１は、操作入力部３０を介して入力されたユーザの指示に従って、撮影装置１１全体を制御する。制御部２１が内蔵するメモリにはまた、制御部２１が各種の処理を実行する上において必要なデータなども適宜記憶される。
【００３４】
カメラ部２２は、ＣＣＤ（Charge-Coupled Devices）撮像素子などにより構成される。なお、ＣＣＤ撮像素子以外に、ＣＭＯＳ(complementary metal-oxide semiconductor)撮像素子を用いるようにしてもよい。カメラ部２２は、図示せぬ被写体からの光を取り込み、被写体の画像に対応するビデオデータをエンコーダ２３に出力する。エンコーダ２３は、カメラ部２２より供給されたビデオデータを、例えば、ＭＰＥＧ（Moving Picture Expert Group）２方式でエンコードする。なお、図示は省略するが、撮影装置１１においては、マイクから取り込まれたオーディオデータもオーディオエンコーダによりエンコードされ、ビデオデータと同様に処理される。
【００３５】
制御部２１は、エンコーダ２３によりエンコードされたビデオデータを取得し、ドライブ２４に出力する。ドライブ２４は、ＡＴＡを介して制御部２１に接続される。ドライブ２４は、制御部２１からの制御に基づいて、制御部２１から供給されたビデオデータを装着された光ディスク２５に記録する。光ディスク２５は、例えば、大容量の光ディスクであるＤＶＤ（Digital Versatile Disk）により構成される。
【００３６】
光ディスク２５は、データを保存するための物理的なフォーマットを構成する物理層、データを保存するための論理的なフォーマットを構成する論理層、および、保存時のデータの並びなどを規定するためのフォーマットを構成するアプリケーション層などのデータ階層構造を有し、各階層毎にいくつかの要素を規定している。
【００３７】
ここで、図３は、光ディスク２５が有するデータ階層構造を示している。光ディスク２５は、その最下位階層から順に、物理層、論理層、およびアプリケーション層の３階層を有している。物理層は、１回のみ書き込み可能なＤＶＤ−Ｒ(Digital Versatile Disk Recordable)、および追記可能なＤＶＤ−ＲＷ(Digital Versatile Disk Re-recordable)の２種類の要素（ディスクの種類）を規定している（有する）。論理層は、パーソナルコンピュータなどで光ディスク２５のデータを読むことができるＵＤＦ（Universal Disk Formatユニバーサルディスクフォーマット）を有する。アプリケーション層は、記録、再生ができるフォーマットとして、ＶＦ（Video Format Recording）とＶＲ(Video Recording Format)の２種類の要素（フォーマットの種類）を規定し、再生ができるフォーマットとしてＤＶＤ−ＲＯＭ（Digital Versatile Disk Read Only）で使用されるＤＶＤ−Ｖｉｄｅｏフォーマットを規定している。
【００３８】
撮影装置１１は、図３に示されるように、光ディスク２５の物理層において規定されている、１回のみ書き込み可能なＤＶＤ−Ｒ、および追記可能なＤＶＤ−ＲＷの２種類の要素に対応している。さらに、撮影装置１１は、光ディスク２５の論理層において規定されている、パーソナルコンピュータなどで光ディスク２５のデータを読むことができるＵＤＦに対応している。
【００３９】
また、撮影装置１１は、光ディスク２５のアプリケーション層において規定されている、再生ができるフォーマットとしてＤＶＤ−ＲＯＭで一般的に適用されるＤＶＤ−Ｖｉｄｅｏフォーマットに対応している。さらに、撮影装置１１は、記録、再生ができるフォーマットとして、ＶＦとＶＲの２種類の要素（フォーマットの種類）に対応している。
【００４０】
ＶＦでは、ビデオデータは一筆書きに記録されるので、編集作業が困難である。これに対して、ＶＲは、ＤＶＤ−Ｖｉｄｅｏフォーマットと互換性がないので、ＤＶＤ−ＲＯＭを再生するＤＶＤ再生装置などで再生することは困難である。しかしながら、ＶＲは、ランダムに記録されたビデオデータを再生管理できるフォーマットであるため、編集作業に有利である。なお、ＶＦは、ＤＶＤ−Ｖｉｄｅｏフォーマットに互換性があるフォーマットであり、図８および図９を参照して後述するように、ファイナライズ処理によりＤＶＤ−Ｖｉｄｅｏフォーマットに合致させることができる。したがって、アプリケーション層は、実質的には、ＶＦとＶＲの２つの要素を規定していると考えることもできる。
【００４１】
光ディスク２５における物理層とアプリケーション層の組み合わせとしては、物理層のＤＶＤ−Ｒおよびアプリケーション層のＶＦの組み合わせ、物理層のＤＶＤ−Ｒおよびアプリケーション層のＶＲの組み合わせ、物理層のＤＶＤ−ＲＷおよびアプリケーション層のＶＦの組み合わせ、並びに、物理層のＤＶＤ−ＲＷおよびアプリケーション層のＶＲの組み合わせの４種類の組み合わせが、理論的に存在する。ただし、１回のみ書き込み可能なＤＶＤ−Ｒと、編集作業に有利なＶＲの組み合わせは、存在してもあまり効果のない組み合わせであるため、実際には、使用されない場合が多い。
【００４２】
そこで、撮影装置１１は、光ディスク２５にビデオデータを記録する場合、物理層のＤＶＤ−Ｒおよびアプリケーション層のＶＦの機能（すなわち、１回のみ書き込み可能であり、ＤＶＤ−Ｖｉｄｅｏフォーマットと互換性があるが、編集作業が困難であるという機能）、物理層のＤＶＤ−ＲＷおよびアプリケーション層のＶＦの機能（すなわち、追記可能であり、ＤＶＤ−Ｖｉｄｅｏフォーマットと互換性があるが、編集作業が困難であるという機能）、並びに、物理層のＤＶＤ−ＲＷおよびアプリケーション層のＶＲの機能（すなわち、追記可能であり、ＤＶＤ−Ｖｉｄｅｏフォーマットと互換性がないが、編集作業に有利であるという機能）を有する３種類の光ディスク２５の識別を実行する。
【００４３】
図２に戻って、ドライブ２４に光ディスク２５が装着されると、ドライブ２４は、光ディスク２５の反射率を測定し、サーボをかける。このとき、ドライブ２４は、図５を参照して後述するディスクプロファイルを読み出し、制御部２１に出力する。制御部２１は、ドライブ２４により供給されたディスクプロファイルに基づいて、光ディスク２５の物理層において規定されている要素であるディスクの種類が、ＤＶＤ−ＲであるかＤＶＤ−ＲＷであるかを識別する。
【００４４】
また、ドライブ２４は、光ディスク２５の情報およびビデオデータを読み出し、制御部２１に出力する。制御部２１は、ドライブ２４により供給された情報に基づいて、光ディスク２５のアプリケーション層において規定されている要素であるフォーマットの種類（ＶＦまたはＶＲ）を識別する。その後、制御部２１は、識別したディスクの種類およびフォーマットの種類を、ＧＵＩ(Graphical User Interface)生成部２７に出力する。なお、この光ディスク２５のアプリケーション層におけるフォーマットの種類の識別処理は、図６を参照して後述する。
【００４５】
ドライブ２４は、光ディスク２５から読み出したビデオデータを、制御部２１を介して、デコーダ２６に供給する。デコーダ２６は、制御部２１より供給されたビデオデータをデコードし、ＧＵＩ生成部２７に出力する。
【００４６】
ＧＵＩ(Graphical User Interface)生成部２７は、制御部２１の制御に応じて、光ディスク２５のディスクの種類およびフォーマットの種類に対応する１つの情報（文字やアイコンなど）のビデオデータを生成し、デコーダ２６より供給されたビデオデータに重畳し、出力制御部２８に出力する。また、ＧＵＩ生成部２７は、制御部２１より供給された光ディスク２５のディスクの種類およびフォーマットの種類に対応する詳細情報などのビデオデータを生成し、デコーダ２６より供給されたビデオデータに重畳し、出力制御部２８に出力する。
【００４７】
出力制御部２８は、ＧＵＩ生成部２７より供給されたビデオデータをＬＣＤ（Liquid Crystal Display）２９や、図示せぬ端子を介して接続されるディスプレイ装置などに表示させる。操作入力部３０は、ユーザからの操作コマンドを入力する十字キー、タッチパネルなどの入力デバイスより構成され、ユーザから入力される操作コマンドを制御部２１に出力する。通信部３１は、図示せぬネットワークを介しての通信を行う。
【００４８】
次に、図４のフローチャートを参照して、撮影装置１１の表示制御処理について説明する。
【００４９】
ステップＳ１において、ドライブ２４は、光ディスク２５が装着されるまで待機している。ユーザは、撮影装置１１を用いて、被写体を撮影し、被写体の画像に対応するビデオデータを記録するために、撮影装置１１のドライブ２４に光ディスク２５を装着する。これに対応して、ドライブ２４は、ステップＳ１において、光ディスク２５が装着されたと判断し、ステップＳ２に進む。
【００５０】
ステップＳ２において、ドライブ２４は、光ディスク２５の反射率を測定し、サーボをかける。このとき、ドライブ２４は、ディスクプロファイルを、光ディスク２５から読み出し、読み出したディスクプロファイルを、制御部２１に出力し、ステップＳ３に進む。
【００５１】
図５は、光ディスク２５から読み出されるディスクプロファイルを定義するPhysical Format Informationを示している。
【００５２】
Physical Format Informationは、光ディスク２５の半径Ｒ＝23.91mm、ＰＳＮ(Physical Serial Number)＝2F200hを先頭として光ディスク２５に記録されており、図５に示されるように、「Book type 」、「Part Version」、「 Disc size 」および「MAX xfer rate」などにより構成される。なお、光ディスク２５がＤＶＤ−Ｒの場合は、Physical Format Information は、プリレコーディッドで形成され、光ディスク２５がＤＶＤ−ＲＷの場合は、エンボスで形成される。
【００５３】
ディスクプロファイルは、Physical Format Informationのうちの、ＤＶＤ−ＲまたはＤＶＤ−ＲＷなどのメディアタイプ（ディスクの種類）を示す「Book type 」、および、v1.0またはv2.0などの規格のバージョンを示す「Part Version」により識別され、定義される。したがって、制御部２１は、ディスクプロファイルにより光ディスク２５の物理層の要素であるディスクの種類を識別することができる。なお、図５において、縦横の数字は、各データのバイト数を示しており、Physical Format Informationの「MAX xfer rate」の後には、「Disc structure」などの情報が続いて記録されている。
【００５４】
このようなディスクプロファイルがドライブ２４より供給されるので、ステップＳ３において、制御部２１は、ディスクプロファイルに基づいて、光ディスク２５の物理層の要素であるディスクの種類（ＤＶＤ−ＲＷまたはＤＶＤ−Ｒなど）を識別し、ステップＳ４に進む。
【００５５】
次に、ドライブ２４は、光ディスク２５に記録されている光ディスク２５の情報およびビデオデータを読み出し、制御部２１に出力する。これに対応して、ステップＳ４において、制御部２１は、ビデオデータをデコーダ２６に出力するとともに、ドライブ２４より供給された光ディスク２５の情報に基づいて、アプリケーション層の要素であるフォーマットの種類を識別するフォーマットの識別処理を行う。そして、制御部２１は、ステップＳ３において識別したディスクの種類、およびステップＳ４において識別したフォーマットの種類をＧＵＩ生成部２７に出力する。このアプリケーション層のフォーマット識別処理を、図６のフローチャートを参照して説明する。
【００５６】
まず、制御部２１は、アプリケーション層におけるフォーマットの種類がＶＦであるか否かを判定する。図７は、ＶＦによる光ディスク２５の論理フォーマットの構成例を示している。
【００５７】
ＶＦによる光ディスク２５の論理フォーマットは、光ディスク２５の内周からファイルシステムであるＵＤＦ（Universal Disc Format）領域、ビデオデータ全体を管理しているＶＭＧ（Video  Manager）領域、および最大９９のＶＴＳ（Video Title Set）により構成される。また、それぞれのＶＴＳは、タイトルの情報が記録されているＶＴＳＩ（Video Title Set Information）、ＭＰＥＧ２Ｐｒｏｇｒａｍ  ＳｔｒｅａｍからなるＶＴＳＴＴ＿ＶＯＢ（Video Object Set for Titles in a VTS）、およびＶＴＳＩのバックアップであるＶＴＳＩ＿ＢＵＰ（Backup of VTSI）により構成される。
【００５８】
ＤＶＤ−ＲＷへの書き込みフォーマットは、Incremental Recording方式（以下、ＩＮＣ方式と称する）およびRestricted Overwrite方式（以下、ＲＯＷ方式と称する）の２種類の方式がある。ＩＮＣ方式は、シーケンシャルな書き方で、一度書いたものは原則として上書きできないという特徴を有する。ＲＯＷ方式は、上書きが可能であるが、未記録領域への記録はＩＮＣ方式と同様にシーケンシャルな書き方のみという特徴を有する。ＩＮＣ方式、ＲＯＷ方式の記録領域情報は、光ディスク２５の図示せぬ内周のRecording  Management  Area（以後、ＲＭＡと称する）で管理されている。ＤＶＤ−Ｒは、物理的に上書きできないため、書き込みフォーマットとしてＩＮＣ方式が使用されている。
【００５９】
図８は、光ディスク２５へのＩＮＣ方式の記録手順を示している。ＩＮＣ方式の場合、一度に書き込むエリアは最大３つまでと定義されており、そのエリアをＲｚｏｎｅと呼ぶ。このＲｚｏｎｅの管理もＲＭＡで行われている。なお、図８の処理は、制御部２１の制御のもと、ドライブ２４により実行される。
【００６０】
まず、ドライブ２４は、図８Ａに示されるように、ＵＤＦとＶＭＧ用の領域（Ｒｚｏｎｅ１）とＶＴＳＩ用の領域（Ｒｚｏｎｅ２）を予約する。このＲｚｏｎｅ２の後ろの領域はＩｎｖｉｓｉｂｌｅ  Ｒｚｏｎｅで、データを有効に追記できる領域である。図８Ｂにおいて、ドライブ２４は、実データＶＴＳＴＴ＿ＶＯＢＳの記録を終了する。すなわち、ドライブ２４は、記録開始してから記録をストップしたときに、直ちにＶＴＳＩの情報を生成し、その後ろにＶＴＳＩ＿ＢＵＰとして記録する。このＶＴＳＩ＿ＢＵＰはバックアップ管理に使用される。
【００６１】
ドライブ２４は、図８Ｃに示されるように、Ｒｚｏｎｅ２にＶＴＳＩと記録済み実データ情報を一時的に管理する仮ＶＭＧＩ（Temporary Video Manager Information；ＴＭＰ＿ＶＭＧＩ）を記録する。この時点で、図８Ｄに示されるように、第１タイトル（ＶＴＳ＃１）が完成する。その後、ドライブ２４は、ＶＴＳ＃１の後ろに続くタイトルのＶＴＳＩ用の領域（Ｒｚｏｎｅ３）を予約する。
【００６２】
図８Ｅに示されるように、ドライブ２４は、実データＶＴＳＴＴ＿ＶＯＢＳの記録を終了する。すなわち、ドライブ２４は、２回目の記録開始してから記録をストップしたときに、直ちにＶＴＳＩの情報を生成し、その後ろにＶＴＳＩ＿ＢＵＰとして記録する。図８Ｆにおいて、ドライブ２４は、Ｒｚｏｎｅ３にＶＴＳＩとＴＭＰ＿ＶＭＧＩを記録する。図８Ｇに示されるように、この時点で第２のタイトル（ＶＴＳ＃２）が完成し、ＴＭＰ＿ＶＭＧＩにはＶＴＳ＃１とＶＴＳ＃２の情報が記録されている。
【００６３】
以降、同様の手順を繰り返すことにより、図８Ｈに示されるように、Ｎ個のタイトル（ＶＴＳ＃１乃至ＶＴＳ＃Ｎ）が記録される。その後、ドライブ２４は、最後に、ＤＶＤ−Ｖｉｄｅｏフォーマットに合致させるため、ファイナライズ処理を実行する。具体的には、ドライブ２４は、ＴＭＰ＿ＶＭＧＩにある各タイトルの管理情報からＵＤＦ及びＶＭＧを作成し、Ｒｚｏｎｅ１に記録する。更に、リードイン（Lead in）、リードアウト（Lead out）を記録する。
【００６４】
図９は、光ディスク２５へのＲＯＷ方式の記録手順を示している。ＲＯＷ方式の場合は、光ディスク２５の記録エリア全体が一つのＲｚｏｎｅとして扱われる。なお、図９の処理も、図８の処理と同様に、制御部２１の制御のもと、ドライブ２４により実行される。
【００６５】
まず、ドライブ２４は、図９Ａに示されるように、ＵＤＦとＶＭＧ用の領域及びＶＴＳＩ用の領域を予約するため、固定データ等のＰａｄｄｉｎｇすることによって次に記録する場合のアドレスＮＷＡ（Next Writable Address）を進める。図９Ｂにおいて、ドライブ２４は、実データＶＴＳＴＴ＿ＶＯＢＳの記録を終了すると直ちにＶＴＳＩの情報を生成し、その後ろにＶＴＳＩ＿ＢＵＰとして記録する。そして、ドライブ２４は、次タイトルのＶＴＳＩ領域をＰａｄｄｉｎｇすることによりＮＷＡを進める。
【００６６】
ドライブ２４は、図９Ｃに示されるように、ＶＴＳＴＴ＿ＶＯＢＳの前にＶＴＳＩを記録する。さらに、ドライブ２４は、ＴＭＰ＿ＶＭＧＩをＵＤＦ用領域とＶＭＧ用領域（いまの場合、Ｐａｄｄｉｎｇ）の間に記録する。図９Ｄに示されるように、この時点で第１のタイトル（ＶＴＳ＃１）が完成する。その後、ドライブ２４は、実データＶＴＳＴＴ＿ＶＯＢＳの記録を終了すると直ちにＶＴＳＩの情報を生成し、その後ろにＶＴＳＩ＿ＢＵＰとして記録する。そして、ドライブ２４は、次タイトルのＶＴＳＩ領域をＰａｄｄｉｎｇすることにより、ＮＷＡを進める。
【００６７】
ドライブ２４は、図９Ｅに示されるように、ＶＴＳＴＴ＿ＶＯＢＳの前にＶＴＳＩを記録する。そして、ドライブ２４は、ＵＤＦ用領域とＶＭＧ用領域の間のＴＭＰ＿ＶＭＧＩを上書きする。図９Ｆに示されるように、この時点で第２のタイトル（ＶＴＳ＃２）が完成する。
【００６８】
以降、同様の手順を繰り返すことにより、図９Ｇに示されるように、Ｎ個のタイトル（ＶＴＳ＃１乃至ＶＴＳ＃Ｎ）を記録する。その後、ドライブ２４は、最後にＤＶＤ−Ｖｉｄｅｏフォーマットに合致させるために、ファイナライズ処理を実行する。具体的には、ドライブ２４は、ＴＭＰ＿ＶＭＧＩにある各タイトルの管理情報からＵＤＦ及びＶＭＧを作成し、Ｐａｄｄｉｎｇして予約した領域に記録する。更に、リードイン（Lead in）、リードアウト（Lead out）を記録する。
【００６９】
以上のように、ＩＮＣ方式では、光ディスク２５の各ＶＴＳ＃Ｎに、ＴＭＰ＿ＶＭＧＩが存在する。また、ＲＯＷ方式では、光ディスク２５のＵＤＦ用領域とＶＭＧ用領域の間のＴＭＰ＿ＶＭＧＩが存在する。すなわち、ＩＮＣ方式およびＲＯＷ方式のどちらの方式によりビデオデータが光ディスク２５に記録されても、ＶＦの光ディスク２５には、ＴＭＰ＿ＶＭＧＩが記録される。
【００７０】
図６に戻り、制御部２１は、ステップＳ２１において、光ディスク２５に、ＴＭＰ＿ＶＭＧＩが記録されているか否かを判断し、光ディスク２５に、ＴＭＰ＿ＶＭＧＩが記録されていると判断した場合、ステップＳ２２に進み、制御部２１は、光ディスク２５のアプリケーション層の要素であるフォーマットの種類がＶＦであると識別する。そして、光ディスク２５がＶＦであることを、ステップＳ３で識別されたディスクの種類とともに、ＧＵＩ生成部２７に出力し、図４のステップＳ５に進む。
【００７１】
ステップＳ２１において、光ディスク２５に、ＴＭＰ＿ＶＭＧＩが記録されていないと判断された場合、すなわち、光ディスク２５のアプリケーション層の要素であるフォーマットの種類が、ＶＦでないと判断された場合、ステップＳ２３において、制御部２１は、ＵＤＦ領域からルートディレクトリを検索し、光ディスク２５にルートディレクトリがあるか否かを判断する。すなわち、制御部２１は、光ディスク２５において、ＵＤＦファイルシステムのルートディレクトリを認識することができるか否かを判断する。
【００７２】
ステップＳ２３において、制御部２１は、光ディスク２５のＵＤＦ領域（図７を参照して上述した）に基づいて、ルートディレクトリを検索し、ルートディレクトリがないと判断した場合、処理は、ステップＳ２８に進む。ステップＳ２３において、制御部２１は、光ディスク２５のＵＤＦ領域から、ルートディレクトリを検索し、ルートディレクトリがあると判断した場合、ステップＳ２４に進み、制御部２１は、そのＵＤＦのルートディレクトリに、ＤＶＤ＿ＲＴＡＶディレクトリがあり、さらに、その中に、ＶＲ＿ＭＡＮＧＲ．ＩＮＦＯファイルがあるか否かを判断する。
【００７３】
ステップＳ２４において、光ディスク２５のＵＤＦのルートディレクトリに、ＤＶＤ＿ＲＴＡＶディレクトリがあり、その中に、ＶＲ＿ＭＡＮＧＲ．ＩＮＦＯファイルがあると判断された場合、ステップＳ２５に進み、制御部２１は、光ディスク２５がＶＲであると識別し、光ディスク２５がＶＲであることを、ステップＳ３で識別されたディスクの種類とともに、ＧＵＩ生成部２７に出力し、図４のステップＳ５に進む。
【００７４】
ステップＳ２４において、光ディスク２５のＵＤＦのルートディレクトリに、ＤＶＤ＿ＲＴＡＶディレクトリがないと判断された場合、または、光ディスク２５のＵＤＦのルートディレクトリに、ＤＶＤ＿ＲＴＡＶディレクトリがあっても、その中に、ＶＲ＿ＭＡＮＧＲ．ＩＮＦＯファイルがないと判断された場合、処理は、ステップＳ２６に進む。
【００７５】
ステップＳ２６において、制御部２１は、光ディスク２５のＵＤＦのルートディレクトリに、ＶＩＤＥＯ＿ＴＳディレクトリがあり、その中に、ＶＩＤＥＯ＿ＴＳ．ＩＮＦＯファイルがあるか否かを判断し、光ディスク２５のＵＤＦのルートディレクトリに、ＶＩＤＥＯ＿ＴＳディレクトリがあり、その中に、ＶＩＤＥＯ＿ＴＳ．ＩＮＦＯファイルがあると判断した場合、ステップＳ２７に進み、制御部２１は、光ディスク２５がＤＶＤ−Ｖｉｄｅｏフォーマットであると識別し、光ディスク２５がＤＶＤ−Ｖｉｄｅｏフォーマットであることを、ステップＳ３で識別されたディスクの種類とともに、ＧＵＩ生成部２７に出力し、図４のステップＳ５に進む。
【００７６】
ステップＳ２６において、光ディスク２５のＵＤＦのルートディレクトリに、ＶＩＤＥＯ＿ＴＳディレクトリがないと判断された場合、または、光ディスク２５のＵＤＦのルートディレクトリに、ＶＩＤＥＯ＿ＴＳディレクトリがあっても、その中に、ＶＩＤＥＯ＿ＴＳ．ＩＮＦＯファイルがないと判断された場合、処理は、ステップＳ２８に進む。
【００７７】
ステップＳ２８において、制御部２１は、光ディスク２５がブランクディスクであるか否かを判断し、光ディスク２５がブランクディスクであると判断した場合、ステップＳ２９に進み、制御部２１は、光ディスク２５がブランクディスクであると識別し、光ディスク２５がブランクディスクであることを、ステップＳ３で識別されたディスクの種類とともに、ＧＵＩ生成部２７に出力し、図４のステップＳ５に進む。
【００７８】
ステップＳ２８において、光ディスク２５がブランクディスクではないと判断された場合、ステップＳ３０において、制御部２１は、光ディスク２５のデータが壊れていたり、光ディスク２５が不正なファイルシステムであり、このため、光ディスク２５が記録または再生できないディスクであると識別し、光ディスク２５が記録または再生できないディスクであることを、ステップＳ３で識別されたディスクの種類とともに、ＧＵＩ生成部２７に出力し、図４のステップＳ５に進む。
【００７９】
以上のようにして、光ディスク２５のアプリケーション層において規定されている要素であるフォーマットの種類が識別され、その結果が、ステップＳ３で識別された物理層において規定されている要素であるディスクの種類とともに、ＧＵＩ生成部２７に出力される。
【００８０】
そこで、図４のステップＳ５において、ＧＵＩ生成部２７は、制御部２１の制御に応じて、光ディスク２５のディスクの種類およびフォーマットの種類に対応する１つの情報（文字やアイコンなど）のビデオデータを生成し、デコーダ２６より供給されたビデオデータに重畳し、出力制御部２８に出力する。すなわち、ＧＵＩ生成部２７は、光ディスク２５のディスクの種類およびフォーマットの種類に対応して、物理層のＤＶＤ−Ｒおよびアプリケーション層のＶＦに対応する１つのアイコン、物理層のＤＶＤ−ＲＷおよびアプリケーション層のＶＦに対応する１つのアイコン、または、物理層ＤＶＤ−ＲＷおよびアプリケーション層のＶＲに対応する１つのアイコンのビデオデータのいずれかを生成する。
【００８１】
なお、ステップＳ５において、光ディスク２５がブランクディスクである場合には、初期化を促すような情報のビデオデータが生成され、光ディスク２５が記録または再生できないディスクである場合には、記録または再生できないディスクであることを示す情報のビデオデータが生成される。また、光ディスク２５がＤＶＤ−Ｖｉｄｅｏフォーマットである場合には、ステップＳ５では、再生専用であることをユーザに報知するようなアイコンを生成するようにしてもよい。
【００８２】
ステップＳ５の処理の後は、ステップＳ６に進み、出力制御部２８は、ＧＵＩ生成部２７より供給されたビデオデータを、図１０に示されるように、ＬＣＤ（Liquid Crystal Display）２９に表示させ、処理を終了する。
【００８３】
図１０は、ＬＣＤ２９に表示される表示画面５１の構成例である。図１０の例の場合、表示画面５１の上部の右側には、現在録画中であることを示す「録画」の文字が表示されており、録画経過時間が２２分３３秒であることを示す「０：２２：３３」が表示されている。「録画」の左側には、光ディスク２５のディスクの種類が「ＤＶＤ−ＲＷ」であり、かつ、アプリケーション層のフォーマットの種類が「ＶＲ」であることを示すアイコン６１が示されている。
【００８４】
これにより、ユーザは、装着された光ディスク２５が、追記可能であり、汎用のＤＶＤ−ＲＯＭと互換性がないが、編集作業に有利であるディスクであることを、このアイコン６１を見ただけで、即座に認識することができる。すなわち、ユーザは、光ディスク２５が対応する機能を、１つのアイコンを見るだけで認識することができる。
【００８５】
さらに、ユーザは、操作入力部３０を用いて、アイコン６１を指示（選択）することにより、アイコン６１（ディスクの種類「ＤＶＤ−ＲＷ」およびフォーマットの種類「ＶＲ」）に対応する詳細情報を、ＬＣＤ（Liquid Crystal Display）２９に表示させることもできる。
【００８６】
この詳細情報の表示制御処理を、図１１のフローチャートを参照して説明する。
【００８７】
撮影装置１１のＬＣＤ２９に、表示画面５１が表示されている間、制御部２１は、ステップＳ６１において、ユーザにより操作入力部３０を介して、アイコン６１に対する指示が入力されるまで待機している。ユーザは、指で、ＬＣＤ２９においてアイコン６１が表示されている部分を押下する。これにより、操作入力部３０を構成するタッチパネルを介して、アイコン６１が指示されたという情報が制御部２１に入力される。そこで、ステップＳ６１において、制御部２１は、アイコン６１に対する指示が入力されたと判断し、ステップＳ６２に進む。
【００８８】
ステップＳ６２において、制御部２１は、装着されている光ディスク２５のディスクの種類「ＤＶＤ−ＲＷ」およびフォーマットの種類「ＶＲ」に対応する詳細情報を、内蔵するメモリに記憶されている、図１２に示されるようなデータベースから読み出し、ＧＵＩ生成部２７に出力する。
【００８９】
図１２は、メモリに記憶されるデータベースの構成例を示している。図１２の例においては、物理層の要素であるディスクの種類が「ＤＶＤ−Ｒ」で、アプリケーション層の要素であるフォーマットの種類が「ＶＦ」の光ディスク２５の場合、詳細情報は、「１回のみ記録可  他の装置でも再生可」とされている。物理層の要素であるディスクの種類が「ＤＶＤ−ＲＷ」で、アプリケーション層の要素であるフォーマットの種類が「ＶＦ」の光ディスク２５の場合、詳細情報は、「何度でも記録可  他の装置でも再生可」とされている。物理層の要素であるディスクの種類が「ＤＶＤ−ＲＷ」で、アプリケーション層の要素であるフォーマットの種類が「ＶＲ」の光ディスク２５の場合、詳細情報は、「何度でも記録可  編集作業可」とされている。
【００９０】
ステップＳ６３において、ＧＵＩ生成部２７は、制御部２１より供給された光ディスク２５のディスクの種類およびフォーマットの種類に対応する詳細情報のビデオデータを生成し、デコーダ２６より供給されたビデオデータに重畳し、出力制御部２８に出力する。
【００９１】
ステップＳ６４において、出力制御部２８は、ＧＵＩ生成部２７より供給されたビデオデータを、図１３に示されるように、ＬＣＤ２９に表示させる。
【００９２】
図１３は、ＬＣＤ２９に表示される表示画面５１において、アイコン６１が指示された（選択された）状態を示している。図１３の例の場合、光ディスク２５のディスクの種類が「ＤＶＤ−ＲＷ」であり、かつ、フォーマットの種類が「ＶＲ」であることを示すアイコン６１が選択され、アイコン６１の詳細情報７１が、「何度でも記録可  編集作業可」と示されている。
【００９３】
以上のように、「ＤＶＤ−ＲＷ」や「ＶＲ」などの言葉を知らないユーザでも、このアイコン６１を押下することにより、光ディスク２５の詳細情報７１が、１つ表示されるので、装着された光ディスク２５が、追記可能であり、編集作業が可能であるディスクであることを、この詳細情報７１を見ただけで、即座に認識することができる。
【００９４】
以上により、撮影装置１１においては、複数の階層における要素を、１つの情報（アイコン）として表示することにより、ユーザの即時視認性を向上させることができる。また、１回のみ書き込み可能なＤＶＤ−Ｒと、編集作業に有利なＶＲの組み合わせなどのように、存在してもあまり効果がないため、実際には使用されないような組み合わせを表示しないようにすることにより、ユーザの混乱を抑制することができる。
【００９５】
さらに、１つの表示（アイコン）で、複数の多くの情報を表すことができるので、表示エリアに制限のある携帯電話機などに、特に効果的である。
【００９６】
なお、上記説明においては、物理層とアプリケーション層に複数の種類（要素）がある場合について説明したが、論理層の、例えば、ＵＤＦとＦＡＴ（File Allocation Table）などに対応するようにしてもよいし、また、２倍速対応や４倍速対応などに対応するようにしてもよい。また、物理層とアプリケーション層の２層に限らず、２層より多くの複数の層それぞれの要素を１つに表示するようにしてもよい。
【００９７】
さらに、例えば、この撮影装置１１の制御部２１に内蔵されるメモリに記憶されているファームウエアのバージョンが異なる場合にも適用することができる。この場合には、通信部３１によりネットワークを介してダウンロードしたり、光ディスク２５よりドライブ２４を介して、ファームウエアを更新するときに、同時に、メモリの詳細情報なども更新するようにしてもよい。
【００９８】
なお、上記説明においては、光ディスク２５としてのＤＶＤを対象として説明したが、本発明は、ＤＶＤに限らず、ＨＤＤ、フラッシュメモリ、または、メモリスティック（登録商標）などに適用することができる。
【００９９】
上述した一連の処理は、ハードウェアにより実行させることもできるし、ソフトウェアにより実行させることもできる。この場合、例えば、図２の撮影装置１１は、図１４に示されるような撮影装置１０１により構成される。
【０１００】
図１４において、ＣＰＵ（Central Processing Unit）１１１は、ＲＯＭ(Read Only Memory) １１２に記憶されているプログラム、または、記憶部１１９からＲＡＭ（Random Access Memory）１１３にロードされたプログラムに従って各種の処理を実行する。ＲＡＭ１１３にはまた、ＣＰＵ１１１が各種の処理を実行する上において必要なデータなどが適宜記憶される。
【０１０１】
ＣＰＵ１１１、ＲＯＭ１１２、およびＲＡＭ１１３は、バス１１４を介して相互に接続されている。このバス１１４にはまた、入出力インタフェース１１５も接続されている。
【０１０２】
入出力インタフェース１１５には、被写体の撮影を行うカメラ部１１６、十字キー、タッチパネルなどよりなる入力部１１７、ＬＣＤ（Liquid Crystal Display）などよりなるディスプレイ、並びにスピーカなどよりなる出力部１１８、記録部１１９、モデム、ターミナルアダプタなどより構成される通信部１２０が接続されている。通信部１２０は、バスや図示しないネットワークを介しての通信処理を行う。
【０１０３】
入出力インタフェース１１５にはまた、必要に応じてドライブ１３０が接続され、磁気ディスク１３１、光ディスク１３２、光磁気ディスク１３３、もしくは半導体メモリ１３４などが適宜装着され、それから読み出されたコンピュータプログラムが、必要に応じて記憶部１１９にインストールされる。
【０１０４】
一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば、汎用のパーソナルコンピュータなどに、ネットワークや記録媒体からインストールされる。
【０１０５】
この記録媒体は、図１４に示すように、装置本体とは別に、ユーザにプログラムを提供するために配布される、プログラムが記録されている磁気ディスク１３１（フレキシブルディスクを含む）、光ディスク１３２（CD-ROM(Compact Disk-Read Only Memory)，ＤＶＤ(Digital Versatile Disk)を含む）、光磁気ディスク１３３（MD(Mini-Disk)（商標）を含む）、もしくは半導体メモリ１３４などよりなるパッケージメディアにより構成されるだけでなく、装置本体に予め組み込まれた状態でユーザに提供される、プログラムが記録されているＲＯＭ１１２や、記憶部１１９などで構成される。
【０１０６】
なお、本明細書において、記録媒体に記録されるプログラムを記述するステップは、記載された順序に従って時系列的に行われる処理はもちろん、必ずしも時系列的に処理されなくとも、並列的あるいは個別に実行される処理をも含むものである。
【図面の簡単な説明】
【０１０７】
【図１】従来の表示画面の例を示す図である。
【図２】本発明を適用した撮影装置の構成例を示す図である。
【図３】図２の撮影装置のデータ階層構造を説明する図である。
【図４】図２の撮影装置の表示制御処理を説明するフローチャートである。
【図５】光ディスクのディスクプロファイルを説明する図である。
【図６】図４のステップＳ４のフォーマット識別処理を説明するフローチャートである。
【図７】光ディスクの論理フォーマットの構成例を説明する図である。
【図８】ＶＦにおけるＩＮＣ方式の記録手順を説明する図である。
【図９】ＶＦにおけるＲＯＷ方式の記録手順を説明する図である。
【図１０】図２の撮影装置の表示画面の例を示す図である。
【図１１】図２の撮影装置の表示制御処理の他の例を説明するフローチャートである。
【図１２】図２の撮影装置のデータベースの構成例を示す図である。
【図１３】図２の撮影装置の表示画面の他の例を示す図である。
【図１４】本発明を適用した撮影装置の他の構成例を示す図である。
【符号の説明】
【０１０８】
１１  撮影装置，２１  制御部，２４  ドライブ，２５  光ディスク，２７  ＧＵＩ生成部，２８  出力制御部，２９  ＬＣＤ，３０  操作入力部，３１  通信部
【図１】
2007220287.tif 000003
【図２】
2007220287.tif 000004
【図３】
2007220287.tif 000005
【図４】
2007220287.tif 000006
【図５】
2007220287.tif 000007
【図６】
2007220287.tif 000008
【図７】
2007220287.tif 000009
【図８】
2007220287.tif 000010
【図９】
2007220287.tif 000011
【図１０】
2007220287.tif 000012
【図１１】
2007220287.tif 000013
【図１２】
2007220287.tif 000014
【図１３】
2007220287.tif 000015
【図１４】
2007220287.tif 000016